(57)【要約】【課題】筆記具軸筒に目的とする筋模様を形成することが可能であり、生産性も良好で、バラエティーに富み、美観を高めた加飾を施こすことが可能な、筆記具軸筒の加飾方法を提供すること。【解決手段】軸筒が金属の筆記具軸筒を、その表面に軸筒の長手方向に並行して筋模様を設けてなり、その筋模様を特定のワイヤブラシにより設けた筆記具軸筒の加飾方法とした。【選択図】  なし【特許請求の範囲】
【請求項１】
筆記具軸筒の加飾方法であって、前記軸筒が金属であり、その表面に軸筒の長手方向に並行して筋模様を、ワイヤ径が０．１０ｍｍ以上であり０．５０ｍｍ以下であるワイヤブラシにより、設けたことを特徴とする筆記具軸筒の加飾方法。
【請求項２】
前記ワイヤブラシの材質が硬鋼であることを特徴とする請求項１に記載の筆記具軸筒の加飾方法。
【発明の詳細な説明】
【技術分野】
【０００１】
本発明は、筆記具軸筒の加飾方法に関する。更に詳細には、金属の筆記具軸筒に筋模様を設ける筆記具軸筒の加飾方法に関する。
【背景技術】
【０００２】
従来から、筆記具の表面を各種方法で加飾して、高級感を醸し出したり、美観を高めたりしている筆記具が知られている。
一方、金属プレートをロール状のワイヤブラシなどで加工して、細い筋模様をつける、所謂ヘアライン加工により金属表面に加飾することが知られている（例えば特許文献１）。この方法で得られた金属は、その表面に、細い筋模様をつけることができ、つや消しなどの表面状態を得ることができる。しかしながら、筆記具軸筒は、筒状であるため、曲面を有しているものが多く、用いるワイヤによっては、加工する際にワイヤが歪むと筋模様をつけることができず、加工することができても、細く浅い筋模様しか得られないため、得られる模様が限られたものであった。また、用いるワイヤによっては、目的とする模様を得るためには、ワイヤによる擦過の回数を増やすなどの必要があり、加工に長い時間かかったり、ワイヤの消耗が早く、繰り返し一定の筋模様を設けることが困難であったり、ワイヤの交換が必要になるなど、生産性に関しては、問題があった。
【先行技術文献】
【特許文献】
【０００３】
【特許文献１】特開２０１３−１６３２３６号公報
【発明の概要】
【発明が解決しようとする課題】
【０００４】
本発明は、筆記具軸筒に目的とする筋模様を形成することが可能であり、生産性も良好で、バラエティーに富み、美観を高めた加飾を施こすことが可能な、筆記具軸筒の加飾方法を提供するものである。
【課題を解決するための手段】
【０００５】
本発明は、金属の筆記具軸筒を特定のワイヤブラシを用いて筋模様を設けることなどにより、前記課題が解決された。
すなわち、本発明は、
「１．筆記具軸筒の加飾方法であって、前記軸筒が金属であり、その表面に軸筒の長手方向に並行して筋模様を、ワイヤ径が０．１０ｍｍ以上であり０．５０ｍｍ以下であるワイヤブラシにより、設けたことを特徴とする筆記具軸筒の加飾方法。
２．前記ワイヤブラシの材質が硬鋼であることを特徴とする第１項に記載の筆記具軸筒の加飾方法。」に関する。
【発明の効果】
【０００６】
本発明によれば、特定のワイヤブラシを用いたことにより、曲面を有している筆記具軸筒を加工する際にも筋模様をしっかりと設ける事ができ、美観を高めた筆記具を得ることができる。さらに、ワイヤブラシの耐久性が向上するとともに加工時間を短縮でき、生産性が向上するなど、優れた効果を奏するものである。
【発明を実施するための形態】
【０００７】
本発明の筆記具軸筒の加工方法は、特定のワイヤ径のワイヤブラシを用いて筋模様を設けたことが、ひとつの特徴である。
【０００８】
本発明の筆記具軸筒を加工するワイヤブラシのワイヤ径としては、０．１０ｍｍ以上であり０．５０ｍｍ以下である。さらに好ましくは、０．１５ｍｍ以上であり、０．３０ｍｍ以下である。この範囲のワイヤ径を有するワイヤブラシを用いることで、筆記具軸筒を加工する際にも、ワイヤが加工面から逃げることなく加工でき、従来のヘアライン加工よりも太く、深い加工ができる。また、加工する際にしっかりとした筋模様を設けることができるため、加工時間も短縮することができ、生産性を向上することができる。
【０００９】
本発明の加飾方法を用いることにより、従来のヘアライン加工よりも太く深い筋模様を施すことが可能となり、従来と異なる美観に優れた加飾が可能となる。例えば、加工に用いるワイヤ径を選択して、０．１０〜０．１５ｍｍ程度のワイヤ径のワイヤを用いた際にはシルク調の、０．２５〜０．３０ｍｍ程度のワイヤ径のワイヤを用いた際には木目調の加飾が可能になるなど、従来の筆記具のヘアラインとは異なる、美観を高めた様々な加飾が可能となる。
【００１０】
ワイヤの材質としては、ステンレス、硬鋼などの金属、研磨材入りナイロン繊維などの樹脂を用いることができるが、筋模様をより深く綺麗につけられることから金属を用いることが好ましい。繰り返し加工をしていくうちに、ワイヤによってつけられる筋模様の深さが浅く変化してくるが、金属の中でも硬鋼を用いると、筋模様をより深く綺麗につけられるうえ耐久性が高く、生産性が高くなることから特に好ましい。
【００１１】
本発明に用いるワイヤブラシとしては、通常ブラシとよばれる木や樹脂、金属などの平板状の一部に、ワイヤを束ねて設けたものや、ホイールブラシとよばれる金属の棒にホイール状にワイヤを設けて金具などで留めたものや、ロール状にワイヤが施されたロールブラシなどを用いることができるが、ホイールブラシを用いると、ブラシ全面を有効に活用できることから好ましい。
【００１２】
本発明に用いる筆記具軸筒に用いる金属としては、アルミニウム、マグネシウム、ステンレス、チタン、それぞれの合金、真鍮などが挙げられる。中でも、アルミニウム、アルミニウム合金や真鍮は、加工を施しやすく、その後、カラーバリエーションを増やすために着色層を設ける際にも種々の着色方法を選択出来ることから、好ましい。
【００１３】
本発明の筆記具軸筒を加工した後に、着色することができるが、着色層としては、一般的な塗料や電着法などの各種塗装、乾式や湿式法によるめっき、陽極酸化などが挙げられる。
【００１４】
本発明による筆記具軸筒の加工方法は、一端又は両端にペン先を備えたキャップ式筆記具や、押圧出没式、回転繰り出し式、スライドレバー式、サイドノック式などの出没式筆記具形態、複数の筆記ユニットを収容する複合筆記具にも用いることができる。また、軸筒だけでなく、筆記具を構成する部品、例えば、キャップ、口がね、クリップなどの加工方法として用いることもできる。
【実施例】
【００１５】
以下、本発明の実施例を説明するが、本発明はこれによって限定されるものではない。
（実施例１）
（筆記具軸筒の製造）
外径１１ｍｍ、厚さ０．５ｍｍ、長さ１００ｍｍのパイプ状のアルミニウム材を用い、ワイヤ径０．１５ｍｍ、ステンレス製のホイールブラシを用いて、アルミニウム材の外側表面を擦過し、アルミニウム材の長手方向に並行して筋模様を設け、筆記具軸筒を得た。得られた筆記具軸筒は、シルク調の加飾状態であった。
【００１６】
（実施例２〜６、比較例１）
（表１）に示したワイヤ径、材質とした以外は、実施例１と同じ方法で筆記具軸筒を得た。
【００１７】
実施例１〜６、比較例１で得た筆記具の軸筒について、下記要領にて評価を行った。結果を（表１）に示す。
【００１８】
【表１】
2019130792.tif 000002
加工性：前記実施例、比較例で製造した筆記具軸筒を目視により評価した。
○  ：筋模様が綺麗に設けられており、狙いとした加飾状態が得られている。
△  ：筋模様が狙いよりも若干細く浅い状態で設けられているが、ほぼ狙いに近い加飾状態が得られている。
×  ：筋模様がほとんど設けられておらず、狙いとした加飾状態が得られていない。
繰り返し加工性：（表１）に示したワイヤを用い、前記パイプ状のアルミ材を繰り返し加工し、その時の加飾状態を目視により評価した。
◎  ：１００本加工しても、初期と同等の加飾状態が得られている。
○  ：５０本加工すると、若干初期よりも筋模様が浅く細いものがみられる。
△  ：１０本程度加工をすると、初期よりも筋模様が浅く細いものが得られている。
×  ：繰り返しの加工ができないか、数本加工すると初期よりも筋模様が浅く細いものが得られている。
【００１９】
実施例１〜６で得られた、筆記具軸筒は、加工性が良好であり、目的とする加飾状態で、加飾することができた。比較例１の筆記具軸筒は、筋模様を設けることができず、目的とする加飾状態を得ることができなかった。さらに、実施例２〜４において、繰り返し加工した際にも、ワイヤの劣化がほとんどなく、また、ワイヤの交換などが必要なく、生産性に高いもので有った。
【産業上の利用可能性】
【００２０】
本発明の筆記具の軸筒は、万年筆、ボールペン、シャープペンシル、マーカー類、など出没式、繰り出し式、キャップ式などの各種筆記具の軸筒の加飾方法として利用可能である。